(57)【要約】      （修正有）【課題】ケーキ等の食品に挿したり、花束等の装身具、グラス等の容器、花器の室内装飾品、鉢植え等の観賞用植物などに一緒に挿してもバランス良く使用できるスティックライトを提供する。【解決手段】ＬＥＤ等の発光手段を内装する発光部１と、該発光部１の基部に一体的に形成されたライト本体２と、該ライト本体２に連設された延長ステム３とを備える。発光部１は、ライト本体２との組付けが簡単にできるように電池ユニット４ｃ及び組付スペーサ４ｄとを介してユニット状に組み付け、発光部１を外した時に発光手段４と電池５とが纏めて抜き取れる。発光部１は、発光手段４をＯＮ／ＯＦＦさせる回動スイッチを兼用しており、右に回すことで発光し、左に回すことで発光手段４が消えるように組み付けている。延長ステム３は、下端に行くに連れて次第に細くなるように形成され、適度の硬さと弾性力があるため、地面等にも挿せるなど、斬新な仕様ができる。【選択図】図２
0003116904.tif 000002
【実用新案登録請求の範囲】
【請求項１】
棒状若しくは筒状のライト本体と、光源等の発光手段を備えてなるスティックライトにおいて、前記ライト本体は、被装飾部材に装着するための延長ステムを有することを特徴とするスティックライト。
【請求項２】
前記延長ステムは、ライト本体よりも細くなるように形成されていることを特徴とする請求項１に記載のスティックライト。
【請求項３】
前記延長ステムは、花束と一緒に束ねられるだけの長さを有することを特徴とする請求項１に記載のスティックライト。
【請求項４】
前記被装飾部材は、ケーキ等の食品、花束等の装身具、グラス等の容器、花器等の室内装飾品、鉢植え等の観賞用植物であることを特徴とする請求項１に記載のスティックライト。
【考案の詳細な説明】
【技術分野】
【０００１】
本考案は、主としてケーキ、グラス、植木鉢等に挿したり、花束と一緒に束ねて使用することができるスティックライトであり、更に詳しくは、頭部を周方向に回すことにより赤、青等の所望の色が発光するように組み付けられたスティックライトに関する。
【背景技術】
【０００２】
従来、斯かるスティックライトとしては、例えば、棒状発光部の外周面を該発光部の内部に配置した発光ダイオード(以下、単にＬＥＤという)を光源として光らせるようにしたライトにおいて、前記棒状の発光部が、筒状の半透明材からなる発光散体と、該発光散体の内部にその略全長に亘って嵌挿された円柱状の着色又は無色のアクリル樹脂からなる導光体と、該導光体の一端面に対面配置された前記ＬＥＤと、前記導光体の他端面に対面配置された光反射体とからなるものが既に公知となっている(例えば、特許文献１参照)。
【特許文献１】特開平２００３−２９７１１１号
【考案の開示】
【考案が解決しようとする課題】
【０００３】
しかしながら、上述した従来のスティックライトにあっては、棒状の発光部を均一に発光させることができるといった利点を有するものの、構造が複雑であるため、径が太くなってしまうといった問題があり、ケーキ等の食品や花束等の被装飾部材に挿して使用するには、バランスが悪く、好ましいものではない。
【０００４】
本考案はこのような従来の問題点に鑑みてなされたもので、ケーキ等の食品に挿したり、花束等の装身具、グラス等の容器、花器の室内装飾品、鉢植え等の観賞用植物などに一緒に挿してもバランス良く使用できる斬新でお洒落なスティックライトを提供することを目的としたものである。
【課題を解決するための手段】
【０００５】
上述の如き従来の問題点を解決し、所期の目的を達成するため本考案の要旨とする構成は、棒状若しくは筒状のライト本体と、光源等の発光手段とを備えたスティックライトにおいて、前記ライト本体は、被装飾部材に装着するための延長ステムを備えてなるスティックライトに存する。
【０００６】
また、前記延長ステムは、下端に行くに連れてライト本体よりも細くなるように形成されて被装飾部材に挿着させるのが良く、更に、前記延長ステムは、花束と一緒に束ねられるだけの長さを有するのが良い。
【０００７】
また、前記被装飾部材は、ケーキ等の食品、花束等の装身具、グラス等の容器、花器等の室内装飾品、鉢植え等の観賞用植物であるのが良い。
【考案の効果】
【０００８】
本考案は上述のように構成され、前記ライト本体が、被装飾部材に装着するための延長ステムを備えたことによって、発光部、ライト本体に何等影響を与えることなく被装飾部材にセットでき、電気的な彩りを添えることができるといった効果を奏する。
【０００９】
また、前記延長ステムは、ライト本体よりも細くなるように形成されたことによって、様々な物や場所に挿しての使用、すなわち「挿すライト」としての仕様が楽しめるといった効果を奏する。
【００１０】
更に、前記延長ステムが、花束と一緒に束ねられるだけの長さを有することによって、花々と纏まり易くなり電気的な光彩との組み合わせを満喫できるといった効果を奏する。
【００１１】
また、前記被装飾部材が、ケーキ等の食品、花束等の装身具、グラス等の容器、花器等の室内装飾品、鉢植え等の観賞用植物であることによって、これらの物品に斬新でお洒落な電気的彩りを添えることができるといった効果を奏する。
【００１２】
その他、本考案のスティックライトは、構成が単純であるため、大量生産に適し価格も低廉なものとして需用者に供給できるなど、本考案を実施することはその実益的価値が甚だ大である。
【考案を実施するための最良の形態】
【００１３】
光源等の発光手段を内装する発光部と、該発光部の基部に形成されたライト本体と、該ライト本体に連設された延長ステムとを備え、前記延長ステムを、下端に行くに連れて次第に細くなるように形成し、更には、斯かる延長ステムを花束と一緒に束ねられるだけの長さにするのが良い。
【実施例】
【００１４】
次に本考案の実施の一例を図面を参照しながら説明する。図中Ａは、本考案に係るスティックライトの一実施例を示すものであり、このスティックライトＡは、図１に示すように、後述する光源等の発光手段を内装する発光部１と、該発光部１の基部に一体的に形成されたライト本体２と、該ライト本体２に連設された延長ステム３とを備えている。
【００１５】
発光部１は、表面に光が透光するように透明、半透明の合成樹脂材若しくはガラスを用いて中空のキャップ状に成形されており、図２に示すように、中に光源等の発光手段４が内装されている。
【００１６】
換言すれば、発光部１は、図３に示すように、ライト本体２との組付けが簡単にできるように後述の電池ユニット４ｃ及び組付スペーサ４ｄとを介してユニット状に組み付けてあり、発光部１を外した時に発光手段４と電池５とが纏めて抜き取れるように工夫されている。
【００１７】
また、この発光部１は、発光手段４をＯＮ／ＯＦＦさせる回動スイッチを兼用しており、右に回すことで発光し、左に回すことで発光手段４が消えるように組み付けられている(図６参照)。
【００１８】
一方、ライト本体２は、例えば、不透明の合成樹脂材で蕾若しくは茎状のようにふっくらと膨出して成形されており、中に前記発光部１と連通する空間部２ａを備えており、該空間部２ａに電池５が内挿されている。
【００１９】
延長ステム３は、ライト本体２と同様、不透明の合成樹脂材でスティック状に成形されており、下端に行くに連れて次第に細くなるように形成されている。また、この延長ステム３は適度の硬さと弾性力があるため、地面等にも挿し易く、換言すれば、「挿すライト」としての斬新な仕様ができる。
【００２０】
発光手段４は、赤、黄、青、緑等の適時な色に発光するＬＥＤ４ａと、該ＬＥＤ４ａと電池５とを通電させるコンタクト４ｂ、バッテリーコンタクト４ｃ１  及と、これらコンタクト類を保護するスペーサ４ｄとを備えている。
【００２１】
他方、電池５は、例えば、複数個の豆電池からなり、図４乃至図５に示すように、電池ユニット４ｃ内に着脱自在に保持されている。電池ユニット４ｃは、三方に配置された３本のバッテリーコンタクト４ｃ１  ，４ｃ１  …と、該バッテリーコンタクト４ｃ１  ，４ｃ１  …の基部に設置された接地コンタクト４ｃ２  と、該接地コンタクト４ｃ２  に切り起こして突設された接点４ｃ３  とを備えている。
【００２２】
このように構成される本考案のスティックライトＡは、発光部１を手で周方向に回すことで、簡単に発光させることができると共に、延長ステム３を連設しているため、蝋燭の代わりにケーキ等の食品に挿したり(図８参照)、花束と一緒に束ねたり(図１０参照)、装身具として身に付けたり、また、単独でグラス等の容器や花器等に挿して発光せしめる室内飾装飾品としても利用でき、更には、図９に示すように、鉢植え等の観賞用植物に混在させて光の彩りを添えても良い。
【００２３】
尚、本考案のスティックライトは、本実施例に限定されることなく、本考案の目的の範囲内で自由に設計変更し得るものであり、本考案はそれらの全てを包摂するものである。
【００２４】
例えば、発光部１に触るだけでスイッチがＯＮ／ＯＦＦできるようにタッチセンサー(図示せず)を装着したり、何かに挿すと自動的にスイッチがＯＮされ、抜くとＯＦＦされるように延長ステム３の先端にスイッチを取り付けても良く、更には、息を吹きかけることで又は振ることで点灯し、更には、暗くなることで自動的に光が点灯するようにセンサーを付加させても良い。
【００２５】
具体的には、光量や明るさによって自動的に点灯するように光センサー６(図１１参照)を付設したり、息を吹きかけることで点灯するように空気孔７とセンサー８を連動させたり(図１２参照)、差し抜きすることにより電気がＯＮ／ＯＦＦできるように延長ステム３の先端にスイッチ９(図１３参照)を取り付けても良い。
【００２６】
また、図１４に示すように、発光部１とライト本体２との間にウレタンゴム等の防水パッキング１０を兼備させることで防水機能を付加させることができ、屋外のキャンプや海川或いは水回りでも使用できる。
【００２７】
更に、電池５の持続時間やＬＥＤ４ａの光量を増やすことで、災害時などの緊急の灯りや懐中電灯としても使用できる他、図１５に示すように、充電池１１と受電ボックス１２とを組み合わせることで充電式とすることも可能である。
【００２８】
また、延長ステム３を、例えば、シリコン、軟性の形状記憶樹脂、針金のように柔らかで折り曲げ自在な素材で成形すれば、小枝に巻き付けたり、フック形状にしてぶら下げられるなど、いろいろと用途が広がるものであり、本考案はこれらの全てを包摂するものである。
【００２９】
更に、本実施例の延長ステム３は、花束と一緒に束ねられるだけの長さを有しているが、これに限定されることなく、ライト本体２や延長ステム３に花びらや葉若しくは羽根(図示せず)等を取り付けて植物や動物に見立てても良い。
【００３０】
また、斯かる延長ステム３をカラフルにしたり，ＬＥＤ４ａの色や光方を変えるだけで、派手なパーティ仕様にしたり、蝋燭のようにおとなしい仕様にもできることは云うまでもない。
【図面の簡単な説明】
【００３１】
【図１】本考案に係るスティックライトの第１実施例を示す斜視図である。
【図２】同スティックライトの縦断面図である。
【図３】本実施例で使用する発光部とライト本体とを分解した状態を示す説明図である。
【図４】本実施例で使用する同発光部の組立分解斜視図である。
【図５】本実施例で使用する電池ユニットを示す斜視図である。
【図６】本考案に係るスティックライトの要部を示す縦断面図である。
【図７】同スティックライトにおける電池の交換を示す説明図である。
【図８】同スティックライトをケーキに挿した状態(使用状態１)を示す説明図である。
【図９】同スティックライトを鉢植えに挿した状態(使用状態２)を示す説明図である。
【図１０】同スティックライトを花束と共に束ねた状態(使用状態３)を示す説明図である。
【図１１】本考案に係る光センサー式スティックライト(第２実施例)を示す要部縦断面図ある。
【図１２】本考案に係る息センサー式スティックライト(第３実施例)を示す要部縦断面図ある。
【図１３】本考案に係る差し抜きセンサー式スティックライト(第４実施例)を示す要部縦断面図ある。
【図１４】本考案に係る防水機能付きスティックライト(第５実施例)を示す要部縦断面図ある。
【図１５】本考案に係る充電式スティックライト(第６実施例)を示す要部縦断面図ある。
【符号の説明】
【００３２】
Ａ  スティックライト
Ｂ  ケーキ
Ｃ  鉢植え
Ｄ  花束
１  発光部
２  ライト本体
２ａ  空間部
３  延長ステム
４  発光手段
４ａ  ＬＥＤ
４ｂ  コンタクト
４ｃ  電池ユニット
４ｃ１  バッテリーコンタクト
４ｃ２  接地コンタクト
４ｃ３  接点
４ｄ  取付スペーサ
５  電池
６  光センサー
７  空気孔
８  センサー
９  スイッチ
１０  防水パッキング
１１  充電池
１２  受電ボックス
【図１】
0003116904.tif 000003
【図２】
0003116904.tif 000004
【図３】
0003116904.tif 000005
【図４】
0003116904.tif 000006
【図５】
0003116904.tif 000007
【図６】
0003116904.tif 000008
【図７】
0003116904.tif 000009
【図８】
0003116904.tif 000010
【図９】
0003116904.tif 000011
【図１０】
0003116904.tif 000012
【図１１】
0003116904.tif 000013
【図１２】
0003116904.tif 000014
【図１３】
0003116904.tif 000015
【図１４】
0003116904.tif 000016
【図１５】
0003116904.tif 000017